(57)【特許請求の範囲】
【請求項１】
ヘッド部、ハンドル部、及び一端が前記ヘッド部と接続され、他端が前記ハンドル部と接続されたネック部を含み、第１の方向に延在するハンドル体と、
前記ヘッド部の一面に植設されたブラシ部と、
前記ヘッド部の他面側と前記ネック部との少なくとも一方に配置された第１の滑り防止部と、
前記ハンドル部及び前記ネック部のうち、少なくとも一方に、前記第１の方向に対して交差する第２の方向の両端において一対が対向するように配置された第２の滑り防止部と、
を有し、
指で前記第１の滑り防止部を押圧する際に、前記一対の第２の滑り防止部には、前記ハンドル部または前記ネック部を保持する指が当接されることを特徴とする歯ブラシ。
【請求項２】
前記第１の滑り防止部は、少なくとも１つ以上の凹部または凸部のいずれか一方を含むことを特徴とする請求項１記載の歯ブラシ。
【請求項３】
前記第２の滑り防止部は、少なくとも１つ以上の凹部または凸部のいずれか一方を含むことを特徴とする請求項１または２記載の歯ブラシ。
【請求項４】
前記ハンドル体のうち、前記第１及び第２の滑り防止部の形成領域に対応する部分の基材が硬質樹脂で構成されており、
前記第１の滑り防止部または前記第２の滑り防止部のいずれか一方は、前記基材を被覆し、かつ前記硬質樹脂よりも軟らかい軟質樹脂よりなる軟質樹脂層を含むことを特徴とする請求項１から３のいずれか一項に記載の歯ブラシ。
【請求項５】
前記第１及び第２の滑り防止部は、前記第１の方向に複数配置することを特徴とする請求項１から４のいずれか一項に記載の歯ブラシ。
【請求項６】
ヘッド部、及びハンドル部を含み、第１の方向に延在するハンドル体と、
前記ヘッド部の一面に植設されたブラシ部と、
前記ヘッド部の他面側に配置された第１の滑り防止部と、
前記ハンドル部に前記第１の方向に対して交差する第２の方向の両端において一対が対向配置された第２の滑り防止部と、
を有し、
指で前記第１の滑り防止部を押圧する際に、該一対の第２の滑り防止部には、前記ハンドル部を保持する指が当接されることを特徴とする歯ブラシ。
【請求項７】
前記第１の滑り防止部は、第１の仕上げ用指当て部であり、
前記第２の滑り防止部は、第２の仕上げ用指当て部であることを特徴とする請求項１から６のいずれか一項に記載の歯ブラシ。
【発明の詳細な説明】
【技術分野】
【０００１】
本発明は、乳幼児が使用すると共に、大人が乳幼児の歯磨きの仕上げに使用する歯ブラシに関する。
本願は、２０１４年５月２１日に日本に出願された特願２０１４−１０４９１５号に基づき優先権を主張し、その内容をここに援用する。
【背景技術】
【０００２】
従来のこども用歯ブラシは、単に大人用歯ブラシを小型化しただけのものであった。そのため、乳幼児が歯磨きの感触を体験することは可能であるが、大人が乳幼児の歯の仕上げ磨きをする際、ハンドル体の操作だけでは、目的の歯に対して、細かくブラシを当てることが困難であった。【０００３】
乳幼児の歯は、小さく、また周囲の歯肉が傷つきやすい。このため、大人が乳幼児の歯の仕上げ磨きをする場合、ブラシ部が設けられた一面とは反対側に位置するヘッド部の他面に指を押し当て、着実に目的部位を刷掃することが望ましい。
このように、ヘッド部の他面に指を押し当て、歯を磨くことの可能な歯ブラシとして、特許文献１に開示された歯ブラシ、及び特許文献２に開示された携帯用歯ブラシがある。【０００４】
特許文献１には、植毛板の前面に多数の毛を植え付いたブラシ部と、植毛板の背面に設けられた伸縮自在な指サックと、を備えた歯ブラシが開示されている。
特許文献２には、歯磨き用のブラシ体と、前記ブラシ体を植設した基板と、前記基板の上方に設けられた２片の保持片と、を備えた簡易型の歯ブラシであって、保持片を相対向状に形成して、保持片間に挿入した指に歯ブラシを装着可能に構成した携帯用歯ブラシ（以下、単に「歯ブラシ」という）が開示されている。
【先行技術文献】
【特許文献】
【０００５】
【特許文献１】特開平９−６５９３０号公報
【特許文献２】特開２０００−１９７５２２号公報
【発明の概要】
【発明が解決しようとする課題】
【０００６】
しかしながら、特許文献１、２に開示された歯ブラシは、乳幼児が使用することを目的とした歯ブラシではない。また、特許文献１、２に開示された歯ブラシは、ハンドル体がないため、乳幼児に歯磨きの感触を体験させることができない。
また、乳幼児は、手の動作が未発達なため、特許文献１、２に開示された歯ブラシを使用することは困難である。【０００７】
本発明は上記問題に鑑みてなされたものであり、乳幼児が使用可能であると共に、大人が乳幼児の歯磨きの仕上げをする際、乳幼児の目的の歯に対して、細かくブラシを当てることの可能な歯ブラシを提供することを目的とする。
【課題を解決するための手段】
【０００８】
上記課題を解決するため、本発明の一態様に係る歯ブラシは、ヘッド部、及びハンドル部を含み、第１の方向に延在するハンドル体と、前記ヘッド部の一面に植設されたブラシ部と、前記ヘッド部の他面側に配置された第１の滑り防止部と、前記ハンドル部に配置され、前記ハンドル部を保持する指が当接される第２の滑り防止部と、を有することを特徴とする。【０００９】
また、上記本発明の一態様に係る歯ブラシにおいて、前記第２の滑り防止部は、前記第１の方向に対して交差する第２の方向に２つ配置してもよい。【００１０】
また、上記本発明の一態様に係る歯ブラシにおいて、前記第１の滑り防止部は、少なくとも１つの凹部または凸部のいずれか一方を含んでもよい。【００１１】
また、上記本発明の一態様に係る歯ブラシにおいて、前記第２の滑り防止部は、少なくとも１つの凹部または凸部のいずれか一方を含んでもよい。【００１２】
また、上記本発明の一態様に係る歯ブラシにおいて、前記ハンドル体のうち、前記第１及び第２の滑り防止部の形成領域に対応する部分の基材が硬質樹脂で構成されており、前記第１の滑り防止部または前記第２の滑り防止部のいずれか一方は、前記基材を被覆し、かつ前記硬質樹脂よりも軟らかい軟質樹脂よりなる軟質樹脂層を含んでもよい。【００１３】
また、上記本発明の一態様に係る歯ブラシにおいて、前記第１及び第２の滑り防止部は、前記第１の方向に複数配置してもよい。【００１４】
また、上記本発明の一態様に係る歯ブラシにおいて、前記ハンドル体は、一端が前記ヘッド部と接続され、他端が前記ハンドル部と接続されたネック部を含み、前記第１の滑り防止部は、前記ヘッド部、及び前記ネック部のうち、少なくとも一方に配置してもよい。【００１５】
また、上記本発明の一態様に係る歯ブラシにおいて、前記第２の滑り防止部は、前記ハンドル部、及び前記ネック部のうち、少なくとも一方に配置してもよい。
【発明の効果】
【００１６】
本発明の歯ブラシによれば、乳幼児が使用できると共に、大人が乳幼児の歯磨きの仕上げをする際、乳幼児の目的の歯に対して、細かくブラシ部を当てることができる。
【図面の簡単な説明】
【００１７】
【図１】本発明の第１の実施の形態に係る歯ブラシの側面図である。
【図２】本発明の第１の実施の形態に係る歯ブラシの背面図である。
【図３】本発明の第２の実施の形態に係る歯ブラシの側面図である。
【図４】本発明の第２の実施の形態に係る歯ブラシの背面図である。
【図５】本発明の第３の実施の形態に係る歯ブラシの側面図である。
【図６】本発明の第３の実施の形態に係る歯ブラシの背面図である。
【図７】本発明の第４の実施の形態に係る歯ブラシの側面図である。
【図８】本発明の第４の実施の形態に係る歯ブラシの背面図である。
【図９】本発明の第５の実施の形態に係る歯ブラシの側面図である。
【図１０】本発明の第５の実施の形態に係る歯ブラシの背面図である。
【図１１】本発明の第６の実施の形態に係る歯ブラシの側面図である。
【図１２】本発明の第６の実施の形態に係る歯ブラシの背面図である。
【図１３】本発明の第７の実施の形態に係る歯ブラシの側面図である。
【図１４】本発明の第７の実施の形態に係る歯ブラシの背面図である。
【図１５】本発明の第８の実施の形態に係る歯ブラシの側面図である。
【図１６】本発明の第８の実施の形態に係る歯ブラシの背面図である。
【図１７】本発明の第９の実施の形態に係る歯ブラシの側面図である。
【図１８】本発明の第９の実施の形態に係る歯ブラシの背面図である。
【発明を実施するための形態】
【００１８】
以下、図面を参照して本発明を適用した実施の形態について詳細に説明する。なお、以下の説明で用いる図面は、本発明の実施形態の構成を説明するためのものであり、図示される各部の大きさや厚さや寸法等は、実際の歯ブラシの寸法関係とは異なる場合がある。
【００１９】
（第１の実施の形態）
図１は、本発明の第１の実施の形態に係る歯ブラシの側面図である。図１において、Ｘ方向は、ハンドル体１１の延在方向（第１の方向）を示しており、Ｚ方向は、ブラシ部１３を構成する毛束２１の高さ方向を示している。
図２は、本発明の第１の実施の形態に係る歯ブラシの背面図である。図２において、図１に示す構造体と同一構成部分には、同一符号を付す。
また、図２に示すＹ方向は、Ｘ方向、及び図１に示すＺ方向と直交する方向（第２の方向）を示している。
【００２０】
図１及び図２を参照するに、第１の実施の形態の歯ブラシ１０は、乳幼児が使用すると共に、大人が乳幼児の歯磨きの仕上げに使用する歯ブラシであって、ハンドル体１１と、ブラシ部１３と、第１の滑り防止部１６と、一対の第２の滑り防止部１７と、を有する。
【００２１】
ハンドル体１１は、ヘッド部１９と、ネック部２２と、ハンドル部２３と、を有する。
ヘッド部１９は、Ｘ方向に延在している。言い換えれば、ヘッド部１９の形状は、Ｙ方向の幅よりもＸ方向の幅の方が幅広とされた形状とされている。具体的には、ヘッド部１９のＸ方向の幅は１３ｍｍ以上２２ｍｍ以下が好ましい。また、ヘッド部１９のＹ方向の幅は、８ｍｍ以上１１ｍｍ以下が好ましい。
ヘッド部１９は、一面１９ａ（前面）と、前記一面１９ａの反対側に配置された他面１９ｂ（背面）と、を有する。ヘッド部１９の一面１９ａ側には、ブラシ部１３を構成する複数の毛束２１を植設するための複数の植設穴（図示せず）が設けられている。
【００２２】
ネック部２２は、Ｘ方向に延在しており、一端がヘッド部１９と接続され、他端がハンドル部２３と接続されている。ネック部２２は、２つの第２の滑り防止部１７が設けられる部分である。
ネック部２２のＸ方向の長さは３３ｍｍ以上５４ｍｍ以下が好ましい。また、ネック部２２のＹ方向の幅は、４．０ｍｍ以上５．０ｍｍ以下が好ましい。
ハンドル部２３は、乳幼児が自分の歯を磨く際に手で握る部分である。ハンドル部２３は、Ｘ方向に延在している。Ｙ方向におけるハンドル部２３の幅は、Ｙ方向におけるネック部２２の幅よりも広くなるように構成されている。具体的には、ハンドル部２３のＸ方向の長さは８５ｍｍ以上１００ｍｍ以下が好ましい。また、ハンドル部２３のＹ方向の幅は、１１ｍｍ以上１６ｍｍ以下が好ましい。ここで、ハンドル部２３のＹ方向の幅とは、ハンドル部２３のＹ方向の長さの最大値を意味する。
上記構成、すなわち、ヘッド部１９とネック部２２とハンドル部２３とを有するハンドル体１１は、一体成型により製造される部材である。ハンドル体１１を構成する樹脂としては、例えば、ポリプロピレン、ポリエチレン、ポリエチレンテレフタレート、ポリブチレンテレフタレート、ポリアセタール、ＡＢＳ樹脂、ＰＣＴ樹脂のような飽和ポリエステル系樹脂等の合成樹脂材料を用いることができる。
【００２３】
ブラシ部１３は、複数の毛束２１で構成されている。複数の毛束２１は、それぞれヘッド部１９に設けられた植設穴（図示せず）に配置されている。毛束２１は、複数の用毛で構成されている。
前記用毛の材料としては、例えば、ポリアミド（具体的には、６−１２ナイロン、６−１０ナイロン等）、ポリエステル（具体的には、ポリエチレンテレフタレート、ポリブチレンテレフタレート、ポリトリメチレンテレフタレート等）、ポリオレフィン（具体的には、ポリプロピレン）、エラストマー（具体的には、オレフィン系、スチレン系等）等の合成樹脂材料を用いることができるが、これらに限定されない。
【００２４】
用毛の毛先形状としては、例えば、毛先を丸めた形状、毛先に向かうに従って徐々に外径が細くなるテーパー形状、ヘラ形状、球状、先割れ状等を用いることが可能であるが、これらの形状に限定されない。
用毛の毛丈は、例えば、６ｍｍ以上９ｍｍ以下とすることが好ましい。ここで、用毛の毛丈とは、ヘッド部の一面１９ａから用毛の毛先までの長さを意味する。また、選択された用毛の直径が小さい場合には、口腔内の使用性や使用感の点から用毛の毛丈を短くすることが好ましい。また、使用感や、刷掃感、清掃効果、及び耐久性等考慮して、太さの異なる複数本の用毛を任意に組み合わせて用いてもよい。
【００２５】
第１の滑り防止部１６は、ヘッド部１９の他面１９ｂ側に配置された１つの凹部１６Ａである。凹部１６Ａは、ヘッド部１９の他面１９ｂから第１の滑り防止部１６の形成領域に対応する部分のヘッド部１９の厚さを薄く（部分的に厚さを薄く）することで構成されている。
【００２６】
凹部１６Ａは、大人が乳幼児の歯磨きの仕上げをする際、大人の人差し指の先端部が配置される部分である。凹部１６Ａは、大人の人差し指を介して、乳幼児の目的の歯（言い換えれば、仕上げ磨きをする歯）にブラシ部１３を押し当てて、前記歯の仕上げ磨きを行う際に、大人の人差し指が凹部１６Ａからずれない深さＤ１とされている。
ヘッド部１９の他面１９ｂを基準としたときの凹部１６Ａの深さＤ１は、例えば、０．５ｍｍ以上２．０ｍｍ以下が好ましい。
【００２７】
上記構成とされた凹部１６Ａをヘッド部１９の他面１９ｂ側に配置することで、乳幼児の歯磨きの仕上げをする大人の人差し指がヘッド部１９の他面１９ｂ側からずれることを抑制可能となる。これにより、仕上げ磨きしたい乳幼児の歯に対して、細かくブラシ部１３を構成する毛束２１を当てることができる。
【００２８】
また、凹部１６Ａが形成された部分のヘッド部１９の厚さは薄くなるため、Ｚ方向において、仕上げ磨きをする大人の人差し指とブラシ部１３との距離は近くなる。これにより、乳幼児の歯に対する毛束２１の先端の当たり具合を大人が敏感に感じることが可能となるので、目的とする乳幼児の歯の仕上げ磨きを精度良く行うことができる。
【００２９】
２つ（一対）の第２の滑り防止部１７は、ネック部２２のうち、Ｙ方向（第２の方向）の両端に配置されている。２つの第２の滑り防止部１７は、ネック部２２部を保持する指が当接される部分である。
一対（２つ）の第２の滑り防止部１７は、ネック部２２のＹ方向の幅が狭くなるように構成することで設けられた２つの凹部１７Ａである。
【００３０】
大人が乳幼児の歯磨きの仕上げをする際、一対（２つ）の凹部１７Ａのうち、一方の凹部１７Ａに親指を接触させ、他方の凹部１７Ａに中指を接触させて、親指と中指とで（２本の指で）ハンドル体１１を保持する。
このように、ネック部２２にＹ方向の両端において対向配置された２つの第２の滑り防止部１７を設けることで、凹部１６Ａに配置された人差し指でヘッド部１９をしっかりと押圧することができる。
【００３１】
Ｙ方向における一対（２つ）の凹部１７Ａの深さＤ２は、人差し指の先端に力を入れてヘッド部１９を押圧させた際、一対の凹部１７Ａから親指及び中指がずれない程度の深さであればよい。凹部１７Ａの深さＤ２は、例えば、０．５ｍｍ以上３．０ｍｍ以下が好ましい。
【００３２】
また、Ｘ方向における凹部１６Ａと凹部１７Ａとの距離Ａは、例えば、０ｍｍ以上４０ｍｍ以下が好ましい。このような範囲とすることで、容易に大人の人差し指、親指、及び中指を第１及び第２の凹部１６Ａ、１７Ａに配置することができる。
なお、Ｘ方向における凹部１６Ａと凹部１７Ａとの距離Ａが０ｍｍの場合とは、例えば、Ｘ方向における凹部１６Ａの一方の端をヘッド部１９とネック部２２との境界まで延在させると共に、Ｘ方向における凹部１６Ａの一方の端をヘッド部１９とネック部２２との境界まで延在させた場合のことをいう。
この場合、凹部１６Ａ、１７Ａは、Ｙ方向において、その一部が重なるように配置させてもよい。
【００３３】
第１の実施の形態の歯ブラシによれば、ヘッド部１９の他面１９ｂ側に配置された第１の滑り防止部１６である凹部１６Ａと、ネック部２２のうち、ハンドル体１１の延在方向（Ｘ方向）に対して直交するＹ方向に配置された一対の第２の滑り防止部１７である２つの凹部１７Ａと、を有することで、乳幼児が使用可能であると共に、大人が乳幼児の歯磨きの仕上げをする際、凹部１７Ａに親指と中指を配置して、ネック部２２をしっかりと保持することが可能となる。
【００３４】
これにより、凹部１６Ａに配置される人差し指の先端部により、ヘッド部１９をしっかりと押圧することが可能となるので、仕上げ磨きしたい乳幼児の歯に対して、細かく毛束２１（ブラシ部１３）を当てることができる。
【００３５】
また、凹部１６Ａが形成された部分のヘッド部１９の厚さが薄くなることで、Ｚ方向において、凹部１６Ａに配置された大人の人差し指とブラシ部１３との距離は近くなる。これにより、乳幼児の歯に対する毛束２１の先端の当たり具合を大人が敏感に感じることが可能となるので、目的とする乳幼児の歯の仕上げ磨きを精度良く行うことができる。
【００３６】
なお、図１及び図２では、Ｘ方向に対して直交するＹ方向に、２つの第２の滑り防止部１７（２つの凹部１７Ａ）を配置させた場合を例に挙げて説明したが、２つの第２の滑り防止部１７（２つの凹部１７Ａ）は、大人の中指及び親指で保持することが可能な位置に配置されていればよく、Ｘ方向に対して交差する方向（言い換えれば、Ｙ方向に対して傾斜する方向）に配置させてもよい。
【００３７】
（第２の実施の形態）
図３は、本発明の第２の実施の形態に係る歯ブラシの側面図である。図３において、図１及び図２に示す第１の実施の形態の歯ブラシ１０と同一構成部分には、同一符号を付す。
図４は、本発明の第２の実施の形態に係る歯ブラシの背面図である。図４において、図３に示す構造体と同一構成部分には、同一符号を付す。
また、図４に示す距離Ｂは、Ｘ方向における凹部１６Ａの長さと、Ｘ方向における凹部３１Ａの長さと、Ｘ方向における凹部１６Ａと凹部１７Ａとの間隔と、を合計した値である。
【００３８】
図３及び図４を参照するに、第２の実施の形態の歯ブラシ３０は、第１の実施の形態の２つの第２の滑り防止部１７（２つの凹部１７Ａ）に替えて、２つの第２の滑り防止部３１として、２つの凹部３１Ａを有すること以外は、第１の実施の形態の歯ブラシ１０と同様に構成される。
【００３９】
２つの凹部３１Ａは、ハンドル部２３のうち、ネック部２２の近傍に位置する部分（ハンドル部２３の肩部）に設けられている。具体的には、２つの凹部３１Ａは、ハンドル部２３のネック部２２側を先端とすると、５ｍｍ以上１５ｍｍ以下の範囲におさまるように形成され、２つの凹部３１Ａは、Ｙ方向において対向するように配置されている。
大人が乳幼児の歯磨きの仕上げをする際、２つの凹部３１Ａのうち、一方の凹部３１Ａに大人の親指を接触させ、他方の凹部３１Ａに大人の中指を接触させて、親指と中指とで（２本の指で）ハンドル部２３を保持する。
【００４０】
図４に示す距離Ｂは、例えば、２５ｍｍ以上８０ｍｍ以下が好ましい。このように、図４に示す距離Ｂを２５ｍｍ以上８０ｍｍ以下とすることで、容易に大人の人差し指、親指、及び中指を第１及び第２の凹部１６Ａ、３１Ａに配置することができる。
【００４１】
このような構成とされた第２の実施の形態の歯ブラシ３０は、第１の実施の形態の歯ブラシ１０と同様な効果を得ることができる。
【００４２】
なお、第２の実施の形態の歯ブラシ３０を構成するネック部２２に、図１及び図２に示す第２の滑り防止部１７を設けてもよい。
このように、ネック部２２に配置された２つの第２の滑り防止部１７（２つの凹部１７Ａ）と、ハンドル部３２に配置された２つの第２の滑り防止部３１（２つの凹部３１Ａ）と、を有することで、大人が乳幼児の歯磨きの仕上げをする際、大人は、自分がハンドル体１１を保持しやすい方の一対の第２の凹部（具体的には、一対（２つ）の凹部１７Ａまたは一対（２つ）の凹部３１Ａ）を選択することが可能となるので、目的とする乳幼児の歯の仕上げ磨きを精度良く行うことができる。
【００４３】
（第３の実施の形態）
図５は、本発明の第３の実施の形態に係る歯ブラシの側面図である。図５において、図１及び図２に示す第１の実施の形態の歯ブラシ１０と同一構成部分には、同一符号を付す。
図６は、本発明の第３の実施の形態に係る歯ブラシの背面図である。図６において、図５に示す構造体と同一構成部分には、同一符号を付す。
【００４４】
図５及び図６を参照するに、第３の実施の形態の歯ブラシ５０は、第１の実施の形態の歯ブラシ１０を構成する第１の滑り防止部材１６（凹部１６Ａ）、及び２つの第２の滑り防止部１７（２つの凹部１７Ａ）に替えて、第１の滑り防止部材５１、及び２つの第２の滑り防止部５２を有すること以外は、第１の実施の形態の歯ブラシ１０と同様に構成される。
【００４５】
第１の滑り防止部材５１は、２つの凹部５１Ａで構成されていること以外は、第１の滑り防止部材１６と同様に構成されている。
第２の滑り防止部材５２は、２つの第２の凹部５２Ａで構成されていること以外は、第２の滑り防止部材１７と同様に構成されている。
【００４６】
このように、２つの凹部５１Ａで構成された第１の滑り防止部材５１と、２つの第２の凹部５２Ａで構成された第２の滑り防止部材５２と、を有する第４の実施の形態の歯ブラシ５０は、第１の実施の形態の歯ブラシ１０と同様な効果を得ることができる。
【００４７】
なお、図５及び図６では、第１の滑り防止部材５１を２つの凹部５１Ａで構成した場合を例に挙げて説明したが、３つ以上の凹部で第１の滑り防止部材５１を構成してもよい。
また、図５及び図６では、第２の滑り防止部材５２を２つの第２の凹部５２Ａで構成した場合を例に挙げて説明したが、３つ以上の凹部で第２の滑り防止部材５２を構成してもよい。これらの構成を適用した場合においても、第１の実施の形態の歯ブラシ１０と同様な効果を得ることができる。
【００４８】
さらに、第３の実施の形態の歯ブラシ５０において、図５及び図６に示す第１の滑り防止部５１と、図１〜図４に示す第２の滑り防止部１７、３１（凹部１７Ａ、３１Ａ）のうちの少なくとも一方と、を組み合わせてもよい。
或いは、第３の実施の形態の歯ブラシ５０において、図５及び図６に示す第２の滑り防止部５２と、図１〜図４に示す第１の滑り防止部１６（凹部１６Ａ）とを組み合わせてもよい。
これらの構成を適用した場合においても、第１の実施の形態の歯ブラシ１０と同様な効果を得ることができる。
【００４９】
（第４の実施の形態）
図７は、本発明の第４の実施の形態に係る歯ブラシの側面図である。図７において、図１及び図２に示す第１の実施の形態の歯ブラシ１０と同一構成部分には、同一符号を付す。
図８は、本発明の第４の実施の形態に係る歯ブラシの背面図である。図８において、図７に示す構造体と同一構成部分には、同一符号を付す。
【００５０】
図７及び図８を参照するに、第４の実施の形態の歯ブラシ６０は、第１の実施の形態の歯ブラシ１０を構成する第１の滑り防止部１６、及び２つの第２の滑り防止部材１７に替えて、第１の滑り防止部６１、及び２つの第２の滑り防止部材６２（Ｘ方向に対して交差する方向に配置された２つの第２の滑り防止部材６２）を有すること以外は、第１の実施の形態の歯ブラシ１０と同様に構成される。
【００５１】
第１の滑り防止部６１は、硬質樹脂で構成されたヘッド部１９の他面１９ｂ側に配置された凹部１６Ａと、第１の軟質樹脂層６４と、を有する。
第１の軟質樹脂層６４は、凹部１６Ａを埋め込まない厚さで、凹部１６Ａを覆うように配置されている。言い換えると、軟質樹脂層６４の表面がヘッド部１９の他面１９ｂの表面と面一に構成されるか、又は、軟質樹脂層６４がヘッド部１９の他面１９ｂの表面よりも低くなるように構成されるように配置されている。具体的には、第２の軟質樹脂層６４の厚さは、０．５ｍｍ以上１．０ｍｍ以下の厚さが好ましい。
【００５２】
第１の軟質樹脂層６４を構成する樹脂としては、例えば、ヘッド部１９を構成する樹脂（硬質樹脂）よりも軟らかい軟質樹脂を用いることができる。具体的には、第１の軟質樹脂層６４を構成する軟質樹脂としては、例えば、ＪＩＳ  Ｋ  ６２５３  ショアＡの硬度が９０以下とされた樹脂を用いることができる。このような軟質樹脂としては、例えば、エラストマーやシリコーン樹脂を用いることができる。
【００５３】
このように、硬質樹脂で構成されたヘッド部１９の他面１９ｂ側に配置された凹部１６Ａと、凹部１６Ａを埋め込まない厚さで、凹部１６Ａを覆うように配置され、かつヘッド部１９を構成する硬質樹脂よりも軟らかい軟質樹脂で構成された第１の軟質樹脂層６４と、で構成された第１の滑り防止部６１を有することにより、大人が乳幼児の歯磨きの仕上げをする際、人差し指の先端部と第１の軟質樹脂層６４との間の摩擦により、人差し指の先端部が滑りにくくなるため、仕上げ磨きしたい乳幼児の歯に対して、細かくブラシ部１３（毛束２１）を当てることができる。
【００５４】
また、第１の軟質樹脂層６４がクッション材として機能するため、凹部１６Ａのみで第１の滑り防止部１６（図１及び図２参照）を構成した場合と比較して、人差し指が痛くなりにくいという効果を得ることができる。
【００５５】
一対の第２の滑り防止部６２は、硬質樹脂で構成されたネック部２２に配置された一対の凹部１７Ａと、第２の軟質樹脂層６５と、を有する。
第２の軟質樹脂層６５は、凹部１７Ａを埋め込まない厚さで、凹部１７Ａを覆うように配置されている。言い換えると、軟質樹脂層６５の表面がネック部２２の表面と面一に構成されるか、又は、軟質樹脂層６５がネック部２２の表面よりも低くなるように構成されるように配置されている。具体的には、第２の軟質樹脂層６５の厚さは、０．５ｍｍ以上１．０ｍｍ以下の厚さが好ましい。
【００５６】
第２の軟質樹脂層６５を構成する樹脂としては、例えば、ネック部２２を構成する硬質樹脂よりも軟らかい軟質樹脂を用いることができる。具体的には、第２の軟質樹脂層６５を構成する軟質樹脂としては、例えば、硬度がＡ９０以下とされた樹脂を用いることができる。このような軟質樹脂としては、例えば、エラストマーやシリコーン樹脂を用いることができる。
【００５７】
このように、硬質樹脂で構成されたネック部２２に配置された一対の凹部１７Ａと、凹部１７Ａを埋め込まない厚さで、凹部１７Ａを覆うように配置され、かつネック部２２を構成する硬質樹脂よりも軟らかい軟質樹脂で構成された第２の軟質樹脂層６５と、で構成された第２の滑り防止部６２を有することにより、大人が乳幼児の歯磨きの仕上げをする際、親指及び中指と第２の軟質樹脂層６５との間の摩擦により、親指及び中指が滑りにくくなるため、仕上げ磨きしたい乳幼児の歯に対して、細かくブラシ部１３（毛束２１）を当てることができる。
【００５８】
また、第２の軟質樹脂層６５がクッション材として機能するため、凹部１７Ａのみで第２の滑り防止部１７（図１及び図２参照）を構成した場合と比較して、親指及び中指が痛くなりにくいという効果を得ることができる。
【００５９】
上記構成とされた第４の実施の形態の歯ブラシ６０は、第１の実施の形態の歯ブラシ１０と同様な効果を得ることができる。
なお、図７及び図８に示す第２の軟質樹脂層６５は、図３及び図４に示す凹部３１Ａに配置させてもよい。
【００６０】
また、図７及び図８に示す第１の滑り防止部６１と、図１及び図２に示す第２の滑り防止部１７（凹部１７Ａ）、図３及び図４に示す第２の滑り防止部３１（凹部３１Ａ）、図５及び図６に示す第２の滑り防止部５２（複数の凹部５２Ａ）のうちの少なくとも１つと、を組み合わせてもよい。
さらに、図７及び図８に示す第２の滑り防止部６２と、図１〜図４に示す第１の滑り防止部１６（凹部１６Ａ）、図５及び図６に示す第１の滑り防止部５１（複数の凹部５１Ａ）のうちの少なくとも１つと、を組み合わせてもよい。
【００６１】
（第５の実施の形態）
図９は、本発明の第５の実施の形態に係る歯ブラシの側面図である。図９において、図１及び図２に示す第１の実施の形態の歯ブラシ１０と同一構成部分には、同一符号を付す。
図１０は、本発明の第５の実施の形態に係る歯ブラシの背面図である。図１０において、図９に示す構造体と同一構成部分には、同一符号を付す。
【００６２】
図９及び図１０を参照するに、第５の実施の形態の歯ブラシ７０は、第１の実施の形態の歯ブラシ１０を構成する第１の滑り防止部１６、及び２つの第２の滑り防止部材１７に替えて、第１の滑り防止部７１、及び２つの第２の滑り防止部材７２を有すること以外は、第１の実施の形態の歯ブラシ１０と同様に構成される。
【００６３】
第１の滑り防止部７１は、ヘッド部１９の他面１９ｂ側に配置された凸部７１Ａである。凸部７１Ａは、ヘッド部１９の他面１９ｂから突出している。凸部７１Ａを構成する樹脂としては、例えば、硬度がＡ９０以下とされた軟質樹脂を用いることができる。このような軟質樹脂としては、例えば、エラストマーやシリコーン樹脂を用いることができる。
ヘッド部１９の他面１９ｂを基準としたときのＺ方向における凸部７１Ａの高さＨ１は、例えば、０．３ｍｍ以上１．５ｍｍが好ましい。ここで、凸部７１Ａの高さとは、ヘッド部１９の他面１９ｂの表面から凸部７１Ａの表面までの長さのうち、最大値を意味する。
【００６４】
一対（２つ）の第２の滑り防止部材７２は、Ｙ方向において、ネック部２２を介して、対向するように、ネック部２２の側面に設けられた２つの凸部７２Ａで構成されている。凸部７２Ａを構成する樹脂としては、例えば、硬度がＡ９０以下とされた軟質樹脂を用いることができる。このような軟質樹脂としては、例えば、エラストマーやシリコーン樹脂を用いることができる。
ネック部２２を基準としたときのＹ方向における凸部７２Ａの高さは、例えば０．５ｍｍ以上１．０ｍｍ以下が好ましい。ここで、凸部７２Ａの高さとは、ネック部２２の表面から凸部７２Ａの表面までの長さのうち、最大値を意味する。
【００６５】
上記構成とされた第５の実施の形態の歯ブラシ７０は、第４の実施の形態の歯ブラシ６０と同様な効果を得ることができる。
なお、図９及び図１０に示す凸部７２Ａは、ハンドル部２３の肩部に配置してもよい（図示なし）。その際、ハンドル部２３を基準としたときのＹ方向における凸部７２Ａの高さは、例えば０．５ｍｍ以上１．０ｍｍ以下が好ましい。ここで、凸部７２Ａの高さとは、ハンドル部２３の表面から凸部７２Ａの表面までの長さのうち、最大値を意味する。
【００６６】
また、図９及び図１０に示す第１の滑り防止部７１と、図１及び図２に示す第２の滑り防止部１７（凹部１７Ａ）、図３及び図４に示す第２の滑り防止部３１（凹部３１Ａ）、図５及び図６に示す第２の滑り防止部５２（複数の凹部５２Ａ）、図７及び図８に示す第２の滑り防止部６２（凹部１７Ａ及び第２の軟質樹脂層６５よりなる構造体）のうちの少なくとも１つと、を組み合わせてもよい。
さらに、図９及び図１０に示す第２の滑り防止部７２と、図１〜図４に示す第１の滑り防止部１６（凹部１６Ａ）、図５及び図６に示す第１の滑り防止部５１（複数の凹部５１Ａ）、図７及び図８に示す第１の滑り防止部６１（凹部１６Ａ及び第１の軟質樹脂層６４よりなる構造体）のうちの少なくとも１つと、を組み合わせてもよい。
【００６７】
（第６の実施の形態）
図１１は、本発明の第６の実施の形態に係る歯ブラシの側面図である。図１１において、図１及び図２に示す第１の実施の形態の歯ブラシ１０と同一構成部分には、同一符号を付す。
図１２は、本発明の第６の実施の形態に係る歯ブラシの背面図である。図１２において、図１１に示す構造体と同一構成部分には、同一符号を付す。
【００６８】
図１１及び図１２を参照するに、第６の実施の形態の歯ブラシ１００は、第１の実施の形態の歯ブラシ１０を構成する第１の滑り防止部１６に替えて、第１の滑り防止部１０１を有すること以外は、歯ブラシ１０と同様に構成される。
【００６９】
第１の滑り防止部１０１は、ヘッド部１９の先端側に位置する他面１９ｂに設けられた凸部１０１Ａである。凸部１０１Ａは、図１１において、他面１９ｂの上方（Ｚ方向）に突出している。凸部１０１Ａは、湾曲した状態でＹ方向に延在するように配置されている。
凸部１０１Ａは、軟質樹脂で構成されている。凸部１０１Ａを構成する軟質樹脂としては、第５の実施の形態で説明した凸部７１Ａ（図９及び図１０参照）を構成する軟質樹脂と同様なものを用いることができる。
【００７０】
凸部１０１Ａには、大人が乳幼児の歯磨きの仕上げをする際、人差し指の先端（言い換えれば、人差し指の先端部の先端）が配置される。
凸部１０１Ａの先端の形状は、Ｙ方向から見てラウンド形状（丸みを帯びた形状）にするとよい。このように、凸部１０１Ａの先端の形状をラウンド形状とすることで、乳幼児が自分の歯を磨く場合において、凸部１０１Ａの先端が乳幼児の頬の内側に接触した際、乳幼児の頬の内側が傷付くことを抑制できる。
凸部１０１Ａの高さＨ２は、例えば、０．３ｍｍ以上１．５ｍｍ以下が好ましい。ここで、凸部１０１Ａの高さＨ２とは、ヘッド部１９の他面１９ｂの表面から凸部１０１Ａの表面までの長さのうち、最大値を意味する。
【００７１】
第６の実施の形態の歯ブラシ１００によれば、ヘッド部１９の先端側に位置する他面１９ｂに、第１の滑り防止部１０１として凸部１０１Ａを配置することで、大人が乳幼児の歯磨きの仕上げをする際、人差し指の先端がずれることを抑制することができる。
また、ヘッド部１９の先端側に凸部１０１Ａを配置することで、乳幼児の歯のうち、特に、前歯の仕上げ磨きを精度良く行うことができる。
なお、上記構成とされた歯ブラシ１００は、第１の実施の形態の歯ブラシ１０と同様な効果を得ることができる。
【００７２】
なお、図１１及び図１２では、第１の滑り防止部１０１を１つの凸部１０１Ａで構成する場合を例に挙げて説明したが、ヘッド部１９の先端側に位置する他面１９ｂに、複数の凸部１０１Ａを配置させ、前記複数の凸部１０１Ａで第１の滑り防止部１０１を構成してもよい。この場合も、第６の実施の形態の歯ブラシ１００と同様な効果を得ることができる。
【００７３】
また、図１２では、凸部１０１Ａの形状の一例として、湾曲形状の場合を例に挙げて説明したが、凸部１０１Ａの形状は、これに限定されない。
例えば、凸部１０１Ａの形状は、Ｚ方向から見てＹ方向に対して平行な直線状にしてもよいし、Ｙ方向に延在する正弦波状の形状にしてもよい。また、第１の滑り防止部１０１は、例えば、Ｙ方向に配置されたドット状の複数の凸部で構成してもよい（つまり、凸部１０１Ａの形状をドット形状にしてもよい。）。尚、滑り防止部１０１がＹ方向に配置されたドット状の複数の凸部で構成された場合、前記滑り防止部１０１のＸ方向に対する太さは０．５ｍｍ以上１．５ｍｍ以下が好ましい。
【００７４】
また、図１１及び図１２に示す第１の滑り防止部１０１と、図１及び図２に示す第２の滑り防止部１７（凹部１７Ａ）、図３及び図４に示す第２の滑り防止部３１（凹部３１Ａ）、図５及び図６に示す第２の滑り防止部５２（複数の凹部５２Ａ）、図７及び図８に示す第２の滑り防止部６２（凹部１７Ａ及び第２の軟質樹脂層６５よりなる構造体）、図９及び図１０示す第２の滑り防止部７２（凸部７２Ａ）のうちの少なくとも１つと、を組み合わせてもよい。
さらに、図１１及び図１２に示す第２の滑り防止部１７と、図５及び図６に示す第１の滑り防止部５１（複数の凹部５１Ａ）、図７及び図８に示す第１の滑り防止部６１（凹部１６Ａ及び第１の軟質樹脂層６４よりなる構造体）、図９及び図１０に示す第１の滑り防止部７１（凸部７１Ａ）のうちの少なくとも１つと、を組み合わせてもよい。
【００７５】
次に、主に、図１１及び図１２を参照して、第６の実施の形態の変形例に係る歯ブラシについて説明する。
第６の実施の形態の変形例に係る歯ブラシ（図示せず）は、第６の実施の形態の歯ブラシ１００の構成に、さらに、第１の滑り防止部１０１と同様な構成とされた他の第１の滑り防止部を有すること以外は、歯ブラシ１００と同様に構成される。
【００７６】
他の第１の滑り防止部は、ヘッド部１９の後端側に位置する他面１９ｂに設けられており、他面１９ｂの上方（Ｚ方向）に突出している。他の第１の滑り防止部は、軟質樹脂で構成されている。他の第１の滑り防止部を構成する軟質樹脂としては、第５の実施の形態で説明した凸部７１Ａ（図９及び図１０参照）を構成する軟質樹脂と同様なものを用いることができる。
【００７７】
他の第１の滑り防止部は、大人が乳幼児の奥歯の仕上げ磨きをする際、人差し指の先端が接触する部分である。他の第１の滑り防止部の先端の形状は、ラウンド形状（丸みを帯びた形状）にするとよい。
このように、他の第１の滑り防止部の先端の形状をラウンド形状とすることで、乳幼児が自分の歯を磨く場合において、他の第１の滑り防止部の先端が乳幼児の頬の内側に接触した際、乳幼児の頬の内側が傷付くことを抑制できる。
他の第１の滑り防止部の高さは、例えば、０．３ｍｍ以上１．５ｍｍ以下が好ましい。ここで、他の第１の滑り防止部の高さとは、ヘッド部１９の他面１９ｂの表面から他の第１の滑り防止部の表面までの長さのうち、最大値を意味する。
【００７８】
なお、ヘッド部１９の後端側に位置する他面１９ｂに、複数の第１の凸部１０１Ａ（図１１及び図１２参照）を配置させ、前記複数の凸部１０１Ａで第１の滑り防止部を構成してもよい。この場合も、第６の実施の形態の変形例に係る歯ブラシと同様な効果を得ることができる。
【００７９】
（第７の実施の形態）
図１３は、本発明の第７の実施の形態に係る歯ブラシの側面図である。図１３において、図１及び図２に示す第１の実施の形態の歯ブラシ１０と同一構成部分には、同一符号を付す。
図１４は、本発明の第７の実施の形態に係る歯ブラシの背面図である。図１４において、図１３に示す構造体と同一構成部分には、同一符号を付す。
【００８０】
図１３及び図１４を参照するに、第７の実施の形態の歯ブラシ１２０は、第１の実施の形態の歯ブラシ１０を構成する第１の滑り防止部１６、及び２つの第２の滑り防止部１７に替えて、第１の滑り防止部１２１、及び２つの第２の滑り防止部１２２を有すること以外は、歯ブラシ１０と同様に構成される。
【００８１】
第１の滑り防止部１２１は、ヘッド部１９の他面１９ｂに配置された複数の凸部１２１Ａで構成されている。
第１の凸部１２１Ａは、図１３において、他面１９ｂの上方（Ｚ方向）に突出している。ヘッド部１９の他面１９ｂを基準としたときの凸部１２１Ａの高さは、例えば、０．３ｍｍ以上１．５ｍｍ以下が好ましい。ここで、第１の凸部１２１Ａの高さとは、ヘッド部１９の他面１９ｂの表面から第１の凸部１２１Ａの表面までの長さのうち、最大値を意味する。
【００８２】
凸部１２１Ａは、湾曲した状態でＹ方向に延在するように配置されている。凸部１２１Ａの先端の形状は、例えば、ラウンド形状（丸みを帯びた形状）にすることができる。複数の凸部１２１Ａは、Ｘ方向に対して、所定の間隔で配置されている。具体的には、０．５ｍｍ以上１．５ｍｍ以下の間隔が好ましい。
凸部１２１Ａは、軟質樹脂で構成されている。凸部１２１Ａを構成する軟質樹脂としては、第５の実施の形態で説明した凸部７１Ａ（図９及び図１０参照）を構成する軟質樹脂と同様なものを用いることができる。
【００８３】
２つの第２の滑り防止部１２２は、ハンドル部２３の肩部の両側面に、前記肩部を挟み込むように配置されている。第２の滑り防止部１２２は、ハンドル部２３の肩部の側面に配置された複数の凸部１２２Ａで構成されている。
【００８４】
複数の凸部１２２Ａは、ハンドル部２３の肩部の延在方向に沿って、所定の間隔で配置されている。具体的には、０．５ｍｍ以上１．５ｍｍ以下の間隔が好ましい。凸部１２２Ａは、ハンドル部２３の肩部の側面から突出している。ハンドル部２３の肩部の側面を基準としたときの凸部１２２Ａの高さは、例えば、凸部１２１Ａの高さと同じ値にすることができる。ここで、凸部１２１Ａの高さとは、ヘッド部１９の他面１９ｂの表面から凸部１２１Ａの表面までの長さのうち、最大値を意味する。
凸部１２２Ａを構成する軟質樹脂としては、第５の実施の形態で説明した凸部７２Ａ（図９及び図１０参照）を構成する軟質樹脂と同様なものを用いることができる。
【００８５】
また、図１３及び図１４に示す第１の滑り防止部１２１と、図１及び図２に示す第２の滑り防止部１７（凹部１７Ａ）、図３及び図４に示す第２の滑り防止部３１（凹部３１Ａ）、図５及び図６に示す第２の滑り防止部５２（複数の凹部５２Ａ）、図７及び図８に示す第２の滑り防止部６２（凹部１７Ａ及び第２の軟質樹脂層６５よりなる構造体）、図９及び図１０示す第２の滑り防止部７２（凸部７２Ａ）のうちの少なくとも１つと、を組み合わせてもよい。
さらに、図１３及び図１４に示す第２の滑り防止部１２２と、図１〜図４に示す第１の滑り防止部１６（凹部１６Ａ）、図５及び図６に示す第１の滑り防止部５１（複数の凹部５１Ａ）、図７及び図８に示す第１の滑り防止部６１（凹部１６Ａ及び第１の軟質樹脂層６４よりなる構造体）、図９及び図１０に示す第１の滑り防止部７１（凸部７１Ａ）、図１１及び図１２に示す第１の滑り防止部１０１（凸部１０１Ａ）のうちの少なくとも１つと、を組み合わせてもよい。
【００８６】
（第８の実施の形態）
図１５は、本発明の第８の実施の形態に係る歯ブラシの側面図である。図１５において、図３及び図４に示す第２の実施の形態の歯ブラシ３０と同一構成部分には、同一符号を付す。
図１６は、本発明の第８の実施の形態に係る歯ブラシの背面図である。図１６において、図１５に示す構造体と同一構成部分には、同一符号を付す。
【００８７】
図１５及び図１６を参照するに、第８の実施の形態の歯ブラシ１４０は、第２の実施の形態の歯ブラシ３０を構成するハンドル体１１に替えて、ハンドル体１４１を有すること以外は、歯ブラシ３０と同様な構成とされている。
【００８８】
ハンドル体１４１は、図３及び図４に示すネック部２２を有しておらず、ヘッド部１９と、肩部に２つの第２の滑り防止部３１（凹部３１Ａ）が設けられたハンドル部２３と、を有する。
第２の滑り防止部３１（凹部３１Ａ）が設けられた側のハンドル部２３の端部は、ヘッド部１９と接続されている。
【００８９】
このような構成とされた第８の実施の形態の歯ブラシ１４０は、先に説明した第３の実施の形態の歯ブラシ３０と同様な効果を得ることができる。つまり、ネック部２２を有する場合、及びネック部２２を有していない場合のどちらの場合でも、本発明を適用することができ、本発明の効果を得ることができる。
【００９０】
図１５及び図１６に示す第８の実施の形態の歯ブラシ１４０において、図５及び図６に示す第１の滑り防止部５１（複数の凹部５１Ａ）、図７及び図８に示す第１の滑り防止部６１（凹部１６Ａ及び第１の軟質樹脂層６４よりなる構造体）、図９及び図１０に示す第１の滑り防止部７１（凸部７１Ａ）、図１１及び図１２に示す第１の滑り防止部１０１（凸部１０１Ａ）、図１３及び図１４に示す第１の滑り防止部１２１（複数の凸部１２１Ａ）のうちの少なくとも１つを適用してもよい。
【００９１】
また、図１５及び図１６に示す第８の実施の形態の歯ブラシ１４０において、図５及び図６に示す第２の滑り防止部５２（複数の凹部５２Ａ）、図７及び図８に示す第２の滑り防止部６２（凹部１７Ａ及び第２の軟質樹脂層６５よりなる構造体）、図９及び図１０示す第２の滑り防止部７２（凸部７２Ａ）、図１３及び図１４に示す第２の滑り防止部１２２（複数の凸部１２２Ａ）うちの少なくとも１つを適用してもよい。
【００９２】
（第９の実施の形態）
図１７は、本発明の第９の実施の形態に係る歯ブラシの側面図である。図１７において、図１５及び図１６に示す第８の実施の形態の歯ブラシ１４０と同一構成部分には、同一符号を付す。
図１８は、本発明の第９の実施の形態に係る歯ブラシの背面図である。図１８において、図１７に示す構造体と同一構成部分には、同一符号を付す。
【００９３】
図１７及び図１８を参照するに、第９の実施の形態の歯ブラシ１５０は、第８の実施の形態の歯ブラシ１４０を構成する２つの第２の滑り防止部３１のうち、一方を構成要素から除いたこと以外は、歯ブラシ１４０と同様な構成とされている。
【００９４】
このような構成とされた第９の実施の形態の歯ブラシ１５０は、１つの第２の滑り防止部３１にハンドル部２３を保持する指のうちの１本を配置することで、保持する指の１本が第２の滑り防止部３１からずれることを抑制可能となるので、第１の実施の形態の歯ブラシ１０と同様な効果を得ることができる。
また、図１８では、一例として、紙面の下側に１つの第２の滑り防止部３１を配置させた場合を例に挙げて説明したが、図１８において、紙面の上側にのみ１つの第２の滑り防止部３１を配置させてもよい。この場合、図１７及び図１８に示す歯ブラシ１５０と同様な効果を得ることができる。
【００９５】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【００９６】
例えば、図９及び図１０に示す２つの第２の滑り防止部７２を、ハンドル部２３に配置させてもよい。この場合、第５の実施の形態の歯ブラシ７０と同様な効果を得ることができる。
【００９７】
また、例えば、第１ないし第９の実施の形態で説明した第１の滑り防止部１６、５１、６１、７１、１０１、１２１は、必要に応じて自由に組み合わせてもよい。
また、第１ないし第９の実施の形態で説明した第２の滑り防止部１７、３１、５２、６２、７２、１２２は、必要に応じて自由に組み合わせてもよい。
さらに、第１の滑り防止部１６、５１、６１、７１、１０１、１２１と、第２の滑り防止部１７、３１、５２、６２、７２、１２２と、の組み合わせも自由に組み合わせてもよい。
【００９８】
また、第１ないし第９の実施の形態で説明した第２の滑り防止部１７、３１、５２、６２、７２、１２２の配設位置は、図１〜図１８に示す配設位置に限定されない。第２の滑り防止部１７、３１、５２、６２、７２、１２２は、必要に応じて、最適な位置に配置することができる。
【００９９】
また、第１ないし第９の実施の形態で説明した第１の滑り防止部１６、５１、６１、７１、１０１、１２１、及び第２の滑り防止部１７、３１、５２、６２、７２、１２２は、Ｘ方向に複数配置させてもよい。
また、第１ないし第９の実施の形態で説明した第１の滑り防止部１６、５１、６１、７１、１０１、１２１は、ヘッド部１９、及びネック部２２のうち、少なくとも一方に配置させればよい。
第１ないし第９の実施の形態で説明した第２の滑り防止部１７、３１、５２、６２、７２、１２２は、ハンドル部２３、及びネック部２２のうち、少なくとも一方に配置させればよい。
【産業上の利用可能性】
【０１００】
本発明は、乳幼児、及び乳幼児の歯磨きの仕上げをする大人が使用する歯ブラシに利用可能である。
【符号の説明】
【０１０１】
１０、３０、５０、６０、７０、１００、１１０、１２０、１４０、１５０…歯ブラシ
１１、１４１…ハンドル体
１３…ブラシ部
１６、５１、６１、７１、１０１、１２１…第１の滑り防止部
１６Ａ、１７Ａ、３１Ａ、５１Ａ、５２Ａ…凹部
１７、３１、５２、６２、７２、１２２…第２の滑り防止部
１９…ヘッド部
１９ａ…一面
１９ｂ…他面
２１…毛束
２２…ネック部
２３…ハンドル部
６４…第１の軟質樹脂層
６５…第２の軟質樹脂層
７１Ａ、７２Ａ、１０１Ａ、１２１Ａ、１２２Ａ…凸部
Ｄ１、Ｄ２…深さ
Ｈ１、Ｈ２…高さ
【図１】
0006607849.tif 000002
【図２】
0006607849.tif 000003
【図３】
0006607849.tif 000004
【図４】
0006607849.tif 000005
【図５】
0006607849.tif 000006
【図６】
0006607849.tif 000007
【図７】
0006607849.tif 000008
【図８】
0006607849.tif 000009
【図９】
0006607849.tif 000010
【図１０】
0006607849.tif 000011
【図１１】
0006607849.tif 000012
【図１２】
0006607849.tif 000013
【図１３】
0006607849.tif 000014
【図１４】
0006607849.tif 000015
【図１５】
0006607849.tif 000016
【図１６】
0006607849.tif 000017
【図１７】
0006607849.tif 000018
【図１８】
0006607849.tif 000019